(57)【要約】【課題】作業工程が少なく簡単で安価な構成で必要なカウンターシンクを確保しつつ底板の外縁と缶胴体との間の隙間を無くしたペール缶及びペール缶の製造方法を提供する。【解決手段】円板状の金属板の外縁（縁部２６）周りに傾斜面が形成された底板２１と、金属板から円筒状に形成された缶胴体２０と、を備え、前記傾斜面と缶胴体２０の下端とが巻締められた巻締め部２７で一体化されているペール缶１であって、前記缶胴体２０の下端付近の内面が、前記傾斜面の傾斜に沿って密着するまで内側に凹んで底板２１との間の隙間を塞ぐ凹状ビード２４が前記缶胴体２０に形成されている。【選択図】図４
2018070213.tif 000002
【特許請求の範囲】
【請求項１】
円板状の金属板の外縁周りに傾斜面が形成された底板と、金属板から円筒状に形成された缶胴体と、を備え、前記傾斜面と前記缶胴体の下端とが巻締められた巻締め部で一体化されているペール缶であって、
前記缶胴体の下端付近の内面が、前記傾斜面の傾斜に沿って密着するまで内側に凹んで前記底板との間の隙間を塞ぐ凹状ビードが前記缶胴体に形成されていること
を特徴とする凹状ビード付きペール缶。
【請求項２】
前記巻締め部の下端から前記底板までの距離であるカウンターシンクが１０ｍｍ以上となっていること
を特徴とする請求項１に記載の凹状ビード付きペール缶。
【請求項３】
前記傾斜面の傾斜角度は、７０度以上８５度以下となっていること
を特徴とする請求項１又は２に記載の凹状ビード付きペール缶。
【請求項４】
前記缶胴体及び前記底板は、０．３ｍｍ以上０．５ｍｍ以下の板厚の鋼板から形成されていること
を特徴とする請求項１ないし３のいずれかに記載の凹状ビード付きペール缶。
【請求項５】
前記缶胴体は、周面が外側に突出した凸状ビードを有し、その凸状ビード内の最大内径が２８６ｍｍ以上に成形されていること
を特徴とする請求項１ないし４のいずれかに記載の凹状ビード付きペール缶。
【請求項６】
円板状の金属板からなる底板の外縁周りに形成された傾斜面と、円筒状の金属板からなる缶胴体の下端と、を巻締めて一体化するペール缶の製造方法において、
前記傾斜面の傾斜に沿って当接するように、前記缶胴体の下端付近を内側に凹ませた凹状ビードを形成する凹状ビード形成工程を有すること
を特徴とするペール缶の製造方法。
【請求項７】
前記凹状ビード形成工程は、前記底板と前記缶胴体とを巻き締める巻締めロールで巻締めと同時に行うこと
を特徴とする請求項６に記載のペール缶の製造方法。
【請求項８】
前記凹状ビード形成工程では、前記巻締め部の下端から前記底板までの距離であるカウンターシンクを１０ｍｍ以上確保して前記巻締めロールで前記底板と前記缶胴体とを巻き締めつつ、前記凹状ビードを形成すること
を特徴とする請求項７に記載のペール缶の製造方法。
【発明の詳細な説明】
【技術分野】
【０００１】
本発明は、潤滑油、塗料、溶剤などの液体又は流動体を貯蔵したり運搬したりするための金属製のペール缶に関し、詳しくは、底板の外縁と缶胴体との間の隙間を無くしたペール缶に関する。
【背景技術】
【０００２】
従来、潤滑油、塗料、溶剤などの液体又は流動体を貯蔵したり運搬したりするための容器として金属製のペール缶が知られている。
【０００３】
例えば、特許文献１には、テーパが付いた側壁（缶胴体２０）と底板２１とを有する容器本体２と、この容器本体２を提げるための手提げ用の取っ手３と、を備えたテーパペール容器１であって、側壁（缶胴体２０）には、変形防止のためにビード２３などの外側へ突出する水平方向に沿った帯状の凸部が形成されているとともに、取っ手３を側壁（缶胴体２０）に揺動自在に支持するイヤー部４が取り付けられており、凸部（ビード２３）は、その下端がイヤー部４の下端より低い位置となるように形成され、且つ、凸部（ビード２３）には、イヤー部４近傍でイヤー部４を上方に迂回するように迂回部２４が形成されているテーパペール容器１が開示されている（特許文献１の特許請求の範囲の請求項１、明細書の段落［００３５］、図面の図３等参照）。
【０００４】
このようなペール缶は、円板状の金属板からなる底板２１と、金属板から円筒状に形成された缶胴体（缶胴体２０）と、を備え、傾斜面と缶胴体の下端とが巻締められた巻締め部で一体化されて接合されている。また、この底板２１は、巻締め部の巻締め加工を機械的に連続して行うため、多数枚を重ねて加工機械にセットすることを目的として、巻締め加工前に、円板状の金属板の原板の外縁周りに傾斜面が形成されている。
【０００５】
しかし、そうすると、図９に示すように、巻締め加工後に、この傾斜面に起因する隙間が、底板２１と缶胴体２０との間に形成されてしまう。この隙間には、ペール缶の運搬及び保管の間に埃が溜まってしまうという問題があった。
【０００６】
特に、ペール缶は、ＪＩＳ規格等で鋼板の厚さが０．３ｍｍ〜０．５ｍｍ、内径が２７２ｍｍ〜２８６ｍｍ等、容量が１８Ｌ又は２０Ｌなど、と決められており、飲料用の缶等と比べて内容物の重量に比して板厚が薄く、缶胴体の径が大きいため、巻締め部から底板までの高さ（深さ）であるカウンターシンクを大きく（一般的には１０ｍｍ以上）とる必要がある。このため、巻締め部上方に形成された底板と缶胴体との隙間が大きくなり、前記問題が顕著であった。
【０００７】
その上、この隙間に溜まる埃は、ペール缶に収容されている液体原料を使って、例えば、半導体や化粧品などの精密さ又は清潔さが求められる製品を製造するメーカーにとっては、製品の歩留まりを悪化させる要因となるため、ペール缶の徹底的な洗浄が必要となっていた。
【０００８】
また、特許文献２には、従来に比べて残液量及びそのバラツキを低減可能な内袋複合容器を提供することを目的として、鋼製の容器内に樹脂製内側容器１１０を収納した内袋複合容器１００であって、内側容器の出入口部１１１は内袋複合容器の中心軸１０１上に位置し、内側容器は、中心軸上で出入口部の直下に、残液を収集し貯留する残液用凹部１１３を有する内袋複合容器が開示されている（特許文献２の特許請求の範囲の請求項１、明細書の段落［００１５］〜［００２２］、図面の図５、図６等参照）。
【０００９】
しかし、特許文献２に記載の内袋複合容器は、埃が溜まる隙間は無くなるものの、ペール缶の他に、樹脂製の内側容器１１０を製造し、これらの２つの容器を密閉するという極めて複雑で作業工程の多い作業をしなければならず、製品単価が高くなるという問題があった。
【先行技術文献】
【特許文献】
【００１０】
【特許文献１】特許第５９０３１８５号公報
【特許文献２】特開２０１４−２４６０３号公報
【発明の概要】
【発明が解決しようとする課題】
【００１１】
そこで、本発明は、前述した問題に鑑みて案出されたものであり、その目的とするところは、作業工程が少なく簡単で安価な構成で必要なカウンターシンクを確保しつつ底板の外縁と缶胴体との間に隙間が無いペール缶及びペール缶の製造方法を提供することにある。
【課題を解決するための手段】
【００１２】
第１発明に係る凹状ビード付きペール缶は、円板状の金属板の外縁周りに傾斜面が形成された底板と、金属板から円筒状に形成された缶胴体と、を備え、前記傾斜面と前記缶胴体の下端とが巻締められた巻締め部で一体化されているペール缶であって、前記缶胴体の下端付近の内面が、前記傾斜面の傾斜に沿って密着するまで内側に凹んで前記底板との間の隙間を塞ぐ凹状ビードが前記缶胴体に形成されていることを特徴とする。
【００１３】
第２発明に係る凹状ビード付きペール缶は、第１発明において、前記巻締め部の下端から前記底板までの距離であるカウンターシンクが１０ｍｍ以上となっていることを特徴とする。
【００１４】
第３発明に係る凹状ビード付きペール缶は、第１発明又は第２発明において、前記傾斜面の傾斜角度は、７０度以上８５度以下となっていることを特徴とする。
【００１５】
第４発明に係る凹状ビード付きペール缶は、第１発明ないし第３発明のいずれかの発明において、前記缶胴体及び前記底板は、０．３ｍｍ以上０．５ｍｍ以下の板厚の鋼板から形成されていることを特徴とする。
【００１６】
第５発明に係る凹状ビード付きペール缶は、第１発明ないし第４発明のいずれかの発明において、前記缶胴体は、周面が外側に突出した凸状ビードを有し、その凸状ビード内の最大内径が２８６ｍｍ以上に成形されていることを特徴とする。
【００１７】
第６発明に係るペール缶の製造方法は、円板状の金属板からなる底板の外縁周りに形成された傾斜面と、円筒状の金属板からなる缶胴体の下端と、を巻締めて一体化するペール缶の製造方法において、前記傾斜面の傾斜に沿って当接するように、前記缶胴体の下端付近を内側に凹ませた凹状ビードを形成する凹状ビード形成工程を有することを特徴とする。
【００１８】
第７発明に係るペール缶の製造方法は、第６発明において、前記凹状ビード形成工程は、前記底板と前記缶胴体とを巻き締める巻締めロールで巻締めと同時に行うことを特徴とする。
【００１９】
第８発明に係るペール缶の製造方法は、第７発明において、前記凹状ビード形成工程では、前記巻締め部の下端から前記底板までの距離であるカウンターシンクを１０ｍｍ以上確保して前記巻締めロールで前記底板と前記缶胴体とを巻き締めつつ、前記凹状ビードを形成することを特徴とする。
【発明の効果】
【００２０】
第１発明〜第８発明によれば、缶胴体の下端付近の内面が、傾斜面の傾斜に沿って密着するまで内側に凹んで底板との間の隙間を塞ぐ凹状ビードが缶胴体に形成されているので、作業工程が少なく簡単で安価な構成で底板の外縁と缶胴体との間の隙間を無くすことができる。また、底板と缶胴体との間の隙間が無いため、ペール缶の洗浄を容易にすることができるとともに、運搬の度に洗浄することが必要なくなり、洗浄回数を低減することができる。
【００２１】
また、第１発明〜第８発明によれば、凹状ビードが缶胴体に形成されているので、単純にビードにより缶胴体強度が向上するだけでなく、底板と缶胴体との巻締め部が密着しているため、内容物が充填された重い状態でペール缶が落下した場合であっても、巻締め部が開いてしまうおそれを低減することができる。
【００２２】
特に、第２発明によれば、カウンターシンクが１０ｍｍ以上となっているので、ペール缶に求められる必要なカウンターシンクを確保して、１８Ｌや２０Ｌの内容物を入れた状態で落下させても耐えられる強度を確保しつつ、底板の外縁と缶胴体との間の隙間を無くすことができる。
【００２３】
特に、第３発明によれば、底板の縁部分の傾斜面の傾斜角度が７０度以上８５度以下となっているので、底板を複数枚重ねて保管することができる。このため、部材収納時のスペースを省スペース化できるとともに、缶胴体と底板を巻き締める際に機械での底板の自動供給が容易となる。
【００２４】
特に、第４発明及び第５発明によれば、ペール缶をＪＩＳ規格に沿ったものとしつつ所定の強度を確保して底板の外縁と缶胴体との間の隙間を無くすことができる。
【００２５】
特に、第７発明によれば、凹状ビード形成工程は、底板と缶胴体とを巻き締める巻締めロールで巻締めと同時に行うので、凹状ビード形成工程の作業時間を低減して、ペール缶の製造時間を短縮することができる。このため、ペール缶の製造コストをさらに低減することができる。
【００２６】
特に、第８発明によれば、ペール缶に求められる必要なカウンターシンクを確保しつつ底板と缶胴体とを巻き締めて底板の外縁と缶胴体との間の隙間を無くすことができる。
【図面の簡単な説明】
【００２７】
【図１】本発明の実施形態に係る凹状ビード付きペール缶を示す斜視図である。
【図２】同上のペール缶を示した正面図である。
【図３】図２のペール缶をＡ−Ａ線の鉛直断面で切断して示すＡ−Ａ線断面図である。
【図４】同上のペール缶の巻締め部付近のＢ部を拡大して示すＢ部拡大断面図である。
【図５】図２のペール缶を上方から見下ろした状態で示す平面図である。
【図６】同上のペール缶のイヤー部を示す図面であり、（ａ）が拡大正面図、（ｂ）が水平断面図である。
【図７】本発明の実施形態に係るペール缶の製造方法の各工程を示すフローチャートである。
【図８】巻締めロールでペール缶の巻締め部を巻締め加工する巻締め工程を示す工程説明図である。
【図９】従来のペール缶の巻締め部を示す部分拡大鉛直断面図である。
【発明を実施するための形態】
【００２８】
以下、本発明に係るペール缶を実施するための一実施形態について、図面を参照しながら詳細に説明する。
【００２９】
［凹状ビード付きペール缶］
先ず、図１〜図６を用いて、本発明の実施形態に係る凹状ビード付きペール缶について説明する。図１は、本発明の実施形態に係る凹状ビード付きペール缶を示す斜視図、図２は、図１のペール缶の正面図、図３は、図２のペール缶をＡ−Ａ線の鉛直断面で切断して示すＡ−Ａ線断面図である。
【００３０】
図１〜図３に示すように、本発明の実施形態に係る凹状ビード付きペール缶１は、鋼製の容器本体２と、この容器本体２を提げるための手提げ用の取っ手３などを備え、液体や流動体などの内容物が容器本体２に後から充填され、内容物を保管、搬送するための容器として用いられるバケツ状の蓋なし（オープン）ペール缶である。
【００３１】
なお、内容物を充填する前にペール缶を積み重ねて集積可能とするため、上方に行くに従って徐々に拡径するように成形されたテーパペール缶を例示して説明するが、完全な円筒状のストレートペール缶にも本発明を適用することができる。
【００３２】
＜容器本体＞
容器本体２は、図１〜図３に示すように、容器本体２の胴体部分となる略円筒状の缶胴体２０と、この缶胴体２０の下端に巻き締め固定された円盤状の鋼板からなる底板２１など、から構成されている。
【００３３】
（缶胴体）
缶胴体２０は、０．３ｍｍ〜０．５ｍｍ程度の薄板の矩形の鋼板からロール成形されて、矩形の端部同士がシーム溶接等で接合され円筒状に成形された後、エキスパンダー等で上方に行くに従って徐々に拡径するように成形された円筒体である。
【００３４】
この缶胴体２０は、図１〜図３に示すように、上端開口の内径の直径が285ｍｍで、下端開口の内径の直径が272ｍｍとなっており、積み重ねて保管できるように缶径が上方へ行くに従って大きくなるようにテーパが付けられている。
【００３５】
また、この缶胴体２０の上端の縁部は、図３に示すように、鋼板の切断した鋭利な端部が露出しないように、且つ、上端の曲げ強度を向上させるために、スピンカール等でロール成形されて丸められたカール縁２２が形成されている。
【００３６】
（凸状ビード）
そして、図１〜図３に示すように、この缶胴体２０には、容器本体２内に内容物を充填して搬送する際などにおいて、凹みなどの容器の変形を防止するために強度を上げことを目的として、容器本体２の外側へコルゲート（波形）状に湾曲して突出する２本の凸状ビード２３が、水平方向に沿って形成されている。
【００３７】
この凸状ビード２３は、図３に示すように、上段の凸状ビード２３の頂部間距離となる最大内径Ｄ１が２８６ｍｍに成形されている。なお、この凸状ビード２３の最大内径Ｄ１が、缶胴体２０の最大内径ともなっている。
【００３８】
（凹状ビード）
図４は、図３のＢ部を拡大して示すＢ部拡大断面図である。図３、図４に示すように、この缶胴体２０には、下端付近の内面が、後述の底板２１の縁部２６の傾斜面に密着するまで内側に凹んだ凹状ビード２４が形成されている。このため、缶胴体２０の底部付近の強度及び剛性も強化されている。
【００３９】
（底板）
図５は、図２のペール缶を上方から見下ろした状態で示す平面図である。図５に示すように、底板２１は、缶胴体２０と同様の薄板の円盤状の鋼板からなり、曲げ剛性を確保するため、上方へコルゲート（波形）状に湾曲して突出するリング状の３つのリング状ビード２５が形成されている。
【００４０】
また、底板２１の外縁周りの縁部２６は、図４に示すように、下方へ折り曲げられて傾斜角度αで傾斜した傾斜面が形成され、巻締め部２７で缶胴体２０の下端の縁と巻き締められて一体化されている。この傾斜面は、巻締め部２７の巻締め加工を機械的に連続して行うため、多数枚を重ねて収容することを目的として、巻締め加工前に、底板２１の原板の外縁周りに形成される。このため、底板２１を複数枚重ねて保管することが容易であり、部材収納時のスペースを省スペース化することができる。
【００４１】
なお、図示した縁部２６の傾斜面の傾斜角度α（水平面となす角）は、７８度に設定されている。勿論、この傾斜角度αは、適宜設定可能である。しかし、あまり傾斜角度がきつくなり９０度に近くなると、多数枚を重ねた際に、機械に底板２１が一枚ずつ供給（吸着）することができず、不具合を生じるおそれがある。このため、一般的には、傾斜角度αは、７０度〜８５度（鉛直面となす角は、５度〜２０度）程度となっている。傾斜角度αを７０度〜８５度に設定することにより、後述の缶胴体２０と底板２１を巻き締める際に機械での底板２１の自動供給が容易となる。
【００４２】
また、図４に示すように、巻締め部２７の下端から底板２１の下面までの距離であるカウンターシンクＣ１が１０ｍｍ以上となっている。このため、ＪＩＳ規格に沿ったペール缶において、ペール缶に求められる１８Ｌや２０Ｌの内容物を入れた状態で落下させても耐えられる強度を確保することができる。
【００４３】
そして、図４に示すように、前述の凹状ビード２４により、缶胴体２０の下端付近の内面が、縁部２６の傾斜面の傾斜に沿って密着するまで内側に凹んでいるため、底板２１と缶胴体２０との間の隙間を塞ぐこととなる（図９も参照）。このため、ペール缶１の洗浄を容易にすることができるとともに、運搬の度に洗浄することが必要なくなり、洗浄回数を低減することができる。
【００４４】
また、凹状ビード２４で缶胴体２０の下部の曲げ剛性が補強された上、底板２１と缶胴体２０との間が隙間なくピッタリと密着しているため、ペール缶１に１８Ｌ〜２０Ｌに達する内容物が充填された状態で落下した際の衝撃荷重が巻締め部２７に作用した場合であっても、その衝撃に耐えられ、巻締め部２７が外れたり、割れたりするおそれが低減される。
【００４５】
＜取っ手＞
取っ手３は、図１、図２等に示すように、鋼線（鋼棒）からなる取っ手本体３０と、この取っ手本体３０に外嵌された樹脂材からなる筒状の握り手３１などからなり、容器本体２にカップ状の鋼製金具である後述のイヤー部４で揺動自在に止め付けられている。
【００４６】
＜イヤー部＞
このイヤー部４は、図６に示すように、缶胴体２０と同様の薄板の鋼板からカップ状に成形されたイヤー部本体４０と、このイヤー部本体４０の左右の側部に添設された缶胴体２０との溶接の際に用いられる溶接用の溶接鍔４１など、からなる。また、このイヤー部本体４０の中央には、取っ手本体３０を揺動自在に掛け止める取っ手孔４２が穿設されている。
【００４７】
以上説明した本発明の実施形態に係る凹状ビード付きペール缶によれば、簡単で安価な構成で、ペール缶に求められる１８Ｌや２０Ｌの内容物を入れた状態で落下させても耐えられる強度を確保しつつ、従来あった底板２１の外縁（縁部２６）と缶胴体２０との間の隙間を無くすことができる（図９参照）。また、缶胴体２０と底板２１との間の隙間が無いため、ペール缶１を簡単に洗浄することができる。例えば、ペール缶１の内部の埃などの不要物を圧縮空気等で吹き飛ばすだけで塵や埃のない清浄な状態にすることができる。このため、ペール缶１の洗浄を容易にすることができるとともに、運搬の度に洗浄することが必要なくなり、洗浄回数を低減することができる。
【００４８】
［凹状ビード付きペール缶の製造方法］
次に、本発明の実施形態に係るペール缶の製造方法について説明する。前述の本発明の実施形態に係る凹状ビード付きペール缶１を製造する場合を例示して説明する。
【００４９】
（缶胴体形成工程）
本実施形態に係るペール缶の製造方法では、先ず、矩形の鋼板から缶胴体を形成する缶胴体形成工程を行う。具体的には、薄板の矩形の鋼板をロール成形して端部同士をシーム溶接等で接合して円筒状に成形する。その後、円筒体の一方の端部をエキスパンダー等で拡径して前述の缶胴体２０を形成する。また、ロール成形の際に、前述の２本の凸状ビード２３も形成すると好ましい。
【００５０】
（底板形成工程）
次に、本実施形態に係るペール缶の製造方法では、矩形の鋼板から底板を形成する底板形成工程を行う。具体的には、矩形の鋼板から円盤状に打ち抜くとともに、打ち抜いた円盤状の底板２１に、前述のリング状ビード２５をロール加工するとともに、外周の縁部を回転させながら折り曲げて前述の縁部２６の傾斜面を形成する。
【００５１】
勿論、缶胴体形成工程と底板形成工程の順番が逆でもよいし、同時並行して行ってもよいことは云うまでもない。
【００５２】
（巻締め工程）
次に、本実施形態に係るペール缶の製造方法では、缶胴体２０の下端の縁と、底板２１の縁部２６を巻き締めて接合する巻締め工程を行う。具体的には、図８に示すように、缶胴体２０及び底板２１を回転させながら、巻締めロールＸで締め付けて、巻締め加工を施し、前述の巻締め部２７を形成する。
【００５３】
（凹状ビード形成工程）
このとき、一点鎖線で示す従来の巻締めロールＸ’と相違して、本実施形態に係るペール缶の製造方法では、巻締めロールＸには、顎部Ｘ１が形成されている。このため、巻締め加工と同時に、前述の凹状ビード２４を形成する凹状ビード形成工程を行うことができる。
【００５４】
また、本工程により、缶胴体２０の下端部付近が内側に凹んで底板２１の縁部２６の傾斜面に密着させ、従来形成されていた底板２１の縁部２６と缶胴体２０との間の隙間を無くすことができる（図９も参照）。
【００５５】
その上、本工程では、図８に示すように、巻締め部２７の下端から底板２１の下面までの距離であるカウンターシンクＣ１を１０ｍｍ以上確保して巻締めロールＸで底板２１と缶胴体２０とを巻き締めつつ、凹状ビード２４を形成する。これにより、ペール缶に求められる１８Ｌや２０Ｌの内容物を入れた状態で落下させても耐えられる強度を確保しつつ、従来あった底板２１の外縁（縁部２６）と缶胴体２０との間の隙間を無くすことができる。
【００５６】
なお、本発明に係るペール缶の製造方法では、巻締め加工をした後に、別途のロールを用いて凹状ビード２４をロール成形する凹状ビード形成工程を設けてもよい。但し、本実施形態に係るペール缶の製造方法のように、巻締め工程と凹状ビード形成工程を同時に行った方が良いことは云うまでもない。
【００５７】
（イヤー部溶接工程）
次に、本実施形態に係るペール缶の製造方法では、イヤー部を缶胴体に溶接するイヤー部溶接工程を行う。具体的には、缶胴体２０の所定の位置にイヤー部４を設置し、溶接鍔４１を溶接ガンで溶接する。
【００５８】
（取っ手装着工程）
そして、本実施形態に係るペール缶の製造方法では、取っ手３をイヤー部４の取っ手孔４２に装着する取っ手装着工程を行う。本工程の終了により、本実施形態に係るペール缶の製造方法が終了する。
【００５９】
以上説明した本実施形態に係るペール缶の製造方法によれば、巻締め工程と凹状ビード形成工程を同時に行うので、缶胴体２０と底板２１との間の隙間を無くすことができるだけでなく、凹状ビード形成工程の作業時間を低減して、ペール缶の製造時間を短縮することができる。このため、ペール缶の製造コストをさらに低減することができる。
【００６０】
以上、本発明の実施形態に係る凹状ビード付きペール缶及びペール缶の製造方法について詳細に説明したが、前述した又は図示した実施形態は、いずれも本発明を実施するにあたって具体化した一実施形態を示したものに過ぎず、これらによって本発明の技術的範囲が限定的に解釈されてはならないものである。
【００６１】
特に、ペール缶という用語を用いたが、本発明に係るペール缶という用語は、中小型のドラム缶も含む概念として使用している。要するに、本発明に係るペール缶とは、所定の強度が要求されない飲用物用の小型の金属容器を除き、潤滑油、塗料、溶剤などの液体又は流動体を貯蔵したり運搬したりするための所定の強度が要求される大型の金属製容器のことを指している。
【符号の説明】
【００６２】
１                    ：ペール缶
２                    ：容器本体
２０                  ：缶胴体
２１                  ：底板
２２                  ：カール縁（縁部）
２３                  ：凸状ビード
２４                  ：凹状ビード
２５                  ：リング状ビード
２６                  ：縁部（底板の外縁）
２７                  ：巻締め部
３                    ：取っ手
３０                  ：取っ手本体
３１                  ：握り手
４                    ：イヤー部
４０                  ：イヤー部本体
４１                  ：溶接鍔
４２                  ：取っ手孔
Ｘ                    ：巻締めロール
Ｘ１                  ：顎部
Ｘ’                  ：従来の巻締めロール
Ｃ１                  ：カウンターシンク
【図１】
2018070213.tif 000003
【図２】
2018070213.tif 000004
【図３】
2018070213.tif 000005
【図４】
2018070213.tif 000006
【図５】
2018070213.tif 000007
【図６】
2018070213.tif 000008
【図７】
2018070213.tif 000009
【図８】
2018070213.tif 000010
【図９】
2018070213.tif 000011